(57)【要約】【課題】通話中の相手に対して以後の着信を拒否するための登録を設定可能とする。【解決手段】発着信規制装置１の接続部１５に接続ケーブルを介してパーソナルコンピュータ（ＰＣ）１６あるいは操作入力装置２０を接続する。パーソナルコンピュータに備えたアプリケーションあるいは操作入力装置２０からのキー入力によって着信拒否したい電話番号を記憶部１０に記憶する。さらに、プッシュ型電話機のプッシュボタンを操作して予め設定された登録コマンドを入力し、検出部１２によって予め設定された登録コマンドであるか解析し、予め設定された登録コマンドであれば発着信規制装置１の記憶部１０に登録し、通話後、制御部１１により記憶部１０に記憶された電話番号からの着信を拒否する。【選択図】図５
2008288717.tif 000002
【特許請求の範囲】
【請求項１】
公衆回線網と、この公衆回線網と接続された電話機と、この電話機と前記公衆回線網との間に介在して掛かってきた電話に対する着信拒否並びに掛ける電話に対して発信を不可とする電話番号をそれぞれ記憶し、これらの電話番号の発着信を制限する発着信規制装置であって、この発着信規制装置は、前記発着信を制限する電話番号を記憶する記憶部を備えるとともに、前記電話機の通話時において、通話中の相手側の電話番号を着信拒否の対象として前記記憶部に記憶可能であることを特徴とする発着信規制装置。
【請求項２】
前記電話機がプッシュ型電話機であり、このプッシュ型電話から前記発着信規制装置へプッシュボタンによる登録コマンドを送信し、発着信規制装置は、登録コマンド信号を受信し、通話中の相手側の電話番号を着信拒否の対象として前記記憶部に記憶可能であることを特徴とする請求項１記載の発着信規制装置。
【請求項３】
前記発着信規制装置は、接続ケーブルを介して通話中の相手側の電話番号を着信拒否の対象として前記記憶部に記憶可能とする外部機器が接続可能な接続部を備えたことを特徴とする請求項１記載の発着信規制装置。
【請求項４】
前記発着信規制装置には、前記外部機器として少なくともテンキーと複数の機能キーを備えた操作入力装置が接続可能であり、前記テンキーにより、登録コマンドを入力し、前記機能キーによって着信拒否の対象として前記記憶部に記憶可能であることを特徴とする請求項３記載の発着信規制装置。
【発明の詳細な説明】
【技術分野】
【０００１】
本発明は、公衆回線網と接続して相手と通信を行うことができる電話機において、電話番号情報を管理し、この電話番号情報に基づいて発着信を制限することが可能な発着信規制装置に関する。
【背景技術】
【０００２】
近年、いたずら電話や迷惑電話の防止を目的として、特定の相手との通信を拒否する機能を持った電話機が種々開発されている。このような電話機は、例えば特許文献１や特許文献２で示すように、接続要求を着信時に接続する電話網から受け取った、発信者側の電話番号情報を記憶し、以後、その電話番号から掛かった電話からの着信を拒否するものであり、記憶された電話番号から掛かってきた電話は、以後、受けることがない着信拒否機能を備えている。
【０００３】
【特許文献１】特開平８−２４２２７８号公報
【特許文献２】特開平２００４−２９７１１４号公報
【発明の開示】
【発明が解決しようとする課題】
【０００４】
しかしながら、この種の着信拒否機能は、当然、着信拒否機能を備えた電話機以外が使えない。また、このような着信拒否の設定は、ユーザが自ら設定する必要があるが、その着信拒否の設定が煩雑で、操作が面倒である。すなわち、着信拒否の設定は、不快と感じた通話の相手に対して行うのが一般的にあり、通話後、設定することになるから、通話時、不快と感じたときに瞬時に設定することができない。
【０００５】
そこで本発明は、着信拒否機能を備えていない電話機であっても、着信拒否や発信の制限の設定が可能であるとともに、通話時に簡単かつ迅速に着信拒否の設定が可能な発着信規制装置を提供することを目的とする。
【課題を解決するための手段】
【０００６】
請求項１の発明は、公衆回線網と、この公衆回線網と接続された電話機と、この電話機と前記公衆回線網との間に介在して掛かってきた電話に対する着信拒否並びに掛ける電話に対して発信を不可とする電話番号をそれぞれ記憶し、これらの電話番号の発着信を制限する発着信規制装置であって、この発着信規制装置は、前記発着信を制限する電話番号を記憶する記憶部を備えるとともに、前記電話機の通話時において、通話中の相手側の電話番号を着信拒否の対象として前記記憶部に記憶可能であることを特徴とする。
【０００７】
請求項１の発明によれば、電話を受けたくない相手の電話番号を発着信規制装置に登録し、その相手から電話が掛かってきても着信拒否することができる。
【０００８】
請求項２の発明は、前記電話機がプッシュ型電話機であり、このプッシュ型電話から前記発着信規制装置へプッシュボタンによる登録コマンドを送信し、発着信規制装置は、登録コマンド信号を受信し、通話中の相手側の電話番号を着信拒否の対象として前記記憶部に記憶可能であることを特徴とする。
【０００９】
請求項２の発明によれば、プッシュ型電話機のプッシュボタンを操作して予め設定された登録コマンドを入力する。登録コマンドはプッシュ型電話機のプッシュボタンを操作して、プッシュ型電話機からＤＴＭＦ信号（Ｄｕａｌ  Ｔｏｎｅ  Ｍｕｌｔｉ  Ｆｒｅｑｕｅｎｃｙ）を出力し、このＤＴＭＦ信号を解析し、予め設定した登録コマンドであれば発着信規制装置に通話中の電話番号が記憶（登録）され、通話後、発着信規制装置に記憶された電話番号からの着信はできなくなる。
【００１０】
請求項３の発明は、前記発着信規制装置は、接続ケーブルを介して通話中の相手側の電話番号を着信拒否の対象として前記記憶部に記憶可能とする外部機器が接続可能な接続部を備えたことを特徴とする。
【００１１】
請求項３の発明によれば、接続ケーブルを介して発着信規制装置に接続された外部機器によって、電話を受けたくない相手の電話番号を発着信規制装置に登録し、その相手から電話が掛かってきても着信拒否することができる。
【００１２】
請求項４の発明は、前記発着信規制装置には、前記外部機器として少なくともテンキーと複数の機能キーを備えた操作入力装置が接続可能であり、前記テンキーにより、登録コマンドを入力し、前記機能キーによって着信拒否の対象として前記記憶部に記憶可能であることを特徴とする。
【００１３】
請求項４の発明によれば、前記操作入力装置のテンキーを押して着信を拒否したい電話番号を入力する。この後、この電話番号を機能キーによって発着信規制装置に電話番号が記憶（登録）され、通話後、発着信規制装置に記憶された電話番号からの着信はできなくなる。
【発明の効果】
【００１４】
請求項１の発明によれば、公衆回線網と、この公衆回線網と接続された電話機と、この電話機と前記公衆回線網との間に介在して掛かってきた電話に対する着信拒否並びに掛ける電話に対して発信を不可とする電話番号をそれぞれ記憶し、これらの電話番号の発着信を制限する発着信規制装置であって、この発着信規制装置は、前記発着信を制限する電話番号を記憶する記憶部を備えるとともに、前記電話機の通話時において、通話中の相手側の電話番号を着信拒否の対象として前記記憶部に記憶可能であるから、電話を受けたくない相手から電話が掛かってきても着信拒否することができる。
【００１５】
請求項２の発明によれば、前記電話機がプッシュ型電話機であり、このプッシュ型電話から前記発着信規制装置へプッシュボタンによる登録コマンドを送信し、発着信規制装置は、登録コマンド信号を受信し、通話中の相手側の電話番号を着信拒否の対象として前記記憶部に記憶可能であるから、受けた電話に対して着信を拒否したい場合、通話中であっても着信拒否の対象として相手の電話番号が記憶（登録）可能であり、通話後において、以後、着信規制装置に記憶された電話番号からの着信を拒否することができる。
【００１６】
請求項３の発明によれば、前記発着信規制装置は、接続ケーブルを介して通話中の相手側の電話番号を着信拒否の対象として前記記憶部に記憶可能とする外部機器が接続可能な接続部を備えたものであるから、接続ケーブルを介して発着信規制装置に接続された外部機器によって、受けた電話に対して着信を拒否したい場合、通話中であっても着信拒否の対象として相手の電話番号が記憶（登録）可能であり、通話後において、以後、着信規制装置に記憶された電話番号からの着信を拒否することができる。
【００１７】
請求項４の発明によれば、前記発着信規制装置には、前記外部機器として少なくともテンキーと複数の機能キーを備えた操作入力装置が接続可能であり、前記テンキーにより、登録コマンドを入力し、前記機能キーによって着信拒否の対象として前記記憶部に記憶可能であるから、接続ケーブルを介して発着信規制装置に接続された操作入力装置によって、受けた電話に対して着信を拒否したい場合、通話中であっても着信拒否の対象として相手の電話番号が記憶（登録）可能であり、通話後において、以後、着信規制装置に記憶された電話番号からの着信を拒否することができる。
【発明を実施するための最良の形態】
【００１８】
以下、本発明の着信規制装置についての具体的実施例について、添付図面を参照しながら説明する。なお、以下の実施態様は、本発明を具体化する際の一形態であって、本発明をその範囲内に限定するためのものではない。
【００１９】
図１〜図５は本発明の一実施例を示すものであり、図１は本発明の一実施例を示す装置の概略を示す説明図、図２は操作入力装置を接続した場合の装置の概略を示す説明図、図３は通話時における電話番号の登録手順を示す説明図、図４は非通話時における電話番号の登録手順を示す説明図、図５は発着信規制装置の概略を示すブロック図を示している。
【００２０】
図１に示すように、本実施例の発着信規制装置１は、公衆回線網２とプッシュ型電話機３との間に接続されている。公衆回線網２は、デジタル伝送式のＩＮＳ６４回線であり、２台のプッシュ型電話機３が接続可能である。なお、図１において符号４は、端末アダプタとしての交換機である。
【００２１】
前記発着信規制装置１は、ナンバーディスプレイなどのサービスによって、電話会社の基地局から送られる相手側の電話番号を記憶する記憶部１０と、相手先の電話機との通信回線の確立よび切断を行うための制御を行う制御部１１と、プッシュ型電話機３や後述する外部機器からの信号を検出する検出部１２と、着信検出部１３と、外部機器と接続する接続部１５を備えている。着信検出部１３は、公衆電話網２と接続されている外線接続端子と接続されており、プッシュ型電話機３の発信に基づいて外線接続端子に外線着信信号が入力されると、プッシュ型電話機３に出力するようになっている。また、発着信規制装置１の接続部１５には、接続ケーブルを介してパーソナルコンピュータ（ＰＣ）や操作入力装置２０などが各種の外部機器が接続可能であり、これらパーソナルコンピュータ（ＰＣ）や発着信規制装置１あるいはプッシュ型電話機３からの信号によって、プッシュ型電話機３への着信又はプッシュ型電話機３からの発信を制御する。なお、発着信規制装置１に接続する操作入力装置２０は、図２に示すように、プッシュ型電話機３に備えたプッシュボタンと同じ配列のテンキー２１と、電話番号などの情報をデジタル表示するための表示部２２と、記憶部１０に電話番号が登録するために登録キーを含む複数の機能キー２３などを備えている。
【００２２】
次に記憶部１０に電話番号を記憶するための手順について説明する。記憶部１０に電話番号を記憶する方法の１つとして発着信規制装置１の接続部１５に接続ケーブルを介してパーソナルコンピュータ（ＰＣ）１６あるいは操作入力装置２０を接続し、パーソナルコンピュータに備えたアプリケーションあるいは操作入力装置２０からのキー入力によって着信拒否したい電話番号やファックス機能を備えた電話機などにおいて送信間違いなどのトラブルを避けるための電話番号を記憶部１０に記憶する。すなわち、パーソナルコンピュータ１６を接続した場合、パーソナルコンピュータ１６に記憶したアプリケーションによって着信拒否対象となる電話番号を記憶部１０に記憶する。一方、発着信規制装置１に操作入力装置２０を接続した場合、操作入力装置２０の表示部２２には、通話中の電話番号が表示され、通話中の電話番号を着信拒否したい場合、テンキー２１により、登録コマンドを入力し、機能キー２３の登録キーを押せば、その信号が検出部１２に出力され、記憶部１０に通話中の電話番号に記憶（登録）される。これにより、発着信規制装置１の制御部１１によって以後、その電話番号から電話が掛かっても、制御部１１によって着信が拒否される。このような、パーソナルコンピュータ（ＰＣ）１６や操作入力装置２０による電話番号の登録は、通話後でも通話中でも可能である。
【００２３】
また、プッシュ型電話機３に備えたプッシュボタンによって登録コマンドを入力することによっても記憶部１０に着信又は発信の制御対象となる電話番号が登録可能であり、図３、図４を参照してプッシュ型電話機３の機能を利用して着信する手順について説明する。図３に示すように、公衆回線網２からの外線着信信号が入力されると、着信検出部１３により外線着信信号を検出され、発着信規制装置１、交換機４からプッシュ型電話機３に出力される。ここで、利用者が受け付けた電話の相手に対して、着信を拒否する場合、プッシュ型電話機３から通話中の電話番号を記憶（登録）する。この記憶（登録）は、プッシュ型電話機３のプッシュボタンを操作して予め設定された登録コマンドを入力する。登録コマンドは、プッシュ型電話機３からＤＴＭＦ信号（Ｄｕａｌ  Ｔｏｎｅ  Ｍｕｌｔｉ  Ｆｒｅｑｕｅｎｃｙ）を出力し、このＤＴＭＦ信号を検出部１２で解析し、予め設定した登録コマンドと判断された場合、発着信規制装置１の記憶部１０に通話中の電話番号を記憶（登録）する。ＤＴＭＦは、０〜９までの数字と＊，♯，Ａ，Ｂ，Ｃ，Ｄの記号の１６種類の符号を低群・高群の２つの音声周波数帯域の信号音で送信する方法であり、「トーン信号」「プッシュ信号」などとも呼ばれ、信号音は所謂「ピッ、ポッ、パッ」などで表現され、通信中にてＤＴＭＦ信号によって予め設定した登録コマンドであれば発着信規制装置１の記憶部１０に通話中の電話番号が記憶（登録）される。したがって、通話中の相手も「ピッ、ポッ、パッ」音は聞こえることになるが、通話中であっても発着信規制装置１の記憶部１０に着信拒否する電話番号が登録可能であり、通話後、記憶部１０に記憶された電話番号からの着信はできなくなる。
【００２４】
また、着信拒否あるいは発信の規制対象となる電話番号の登録は、通話時以外でも可能であり、予め電話番号が分っている場合、回線待機中（回線未使用時）に行う。その電話番号の登録手順は、図４に示すように、交換機４配下のプッシュ型電話機３から、回線待機中（回線未使用時）に、プッシュ型電話機３の受話器を上げるとオフフック信号が出力され、ダイヤルトーン（プー）が聞こえる。この状態でプッシュ型電話機３のプッシュボタンを操作して予め設定された登録コマンドを入力する。発着信規制装置１の検出部１２により登録コマンドを解析し、予め設定された登録コマンドであれば、発着信規制装置１の記憶部１０に規制対象として電話番号を記憶（登録）する。電話番号登録が完了すると、利用者が受話器を下ろすことで、オンフック信号が出力され、発着信規制装置１は、交換機４に対して回線を切断したことを通知し、交換機４がプッシュ型電話機３に対してビジートーンを送出する。また、発着信規制装置１の検出部１２が、登録コマンドと認識しなかった場合は、通常の発信動作のように通常ダイヤルを発信し、相手側電話をかける。このように、予め規制したい電話番号が分っている場合などにおいて、回線待機中（回線未使用時）に記憶部１０に電話番号を記憶（登録）し、以後、記憶（登録）した電話番号からの着信あるいは発信はできなくなる。
【００２５】
以上のようにして記憶部１０に着信拒否の対象となる電話番号が登録される。また、利用者がファックスなどのダイヤルの押し間違いなどによる誤送信や掛けたくない相手に対して電話の発信を防止するために、登録された電話番号以外の送信を不可とする送信を制限する電話番号も登録できる。すなわち、記憶部１０に記憶された電話番号は、着信拒否と発信不可とにリスト分けして登録され、着信拒否のリストに登録された電話番号は、登録された電話番号からの着信があっても着信を拒否する。一方、送信を不可とするリストに登録された電話番号には送信しない。また、公衆回線網２として２回線のＩＮＳ６４回線に４台のプッシュ型電話機４を用いる場合、各回線毎に発着信規制装置１を介在させて発着信の規制を行うことになる。この場合、２台の発着信規制装置１を併設することになるが、複数台の発着信規制装置１を併設する場合、各発着信規制装置１同士を図示しない専用のケーブルで接続すれば一方の発着信規制装置１に記憶された電話番号の情報は、他方の発着信規制装置１へと送信され、複数の発着信規制装置１において、電話番号の情報が共有化される。これにより、２回線のＩＮＳ６４回線に接続される全てのプッシュ型電話機３が受ける着信並びに発信を制御することができる。また、記憶部１０に記憶された電話番号の削除も可能であるとともに、更新された一方の発着信規制装置１の電話番号のデータは当然、他方の発着信規制装置１に転送され、情報の共通化が図られる。
【００２６】
以上のように、本実施例においては、ＩＮＳ６４回線などの公衆回線網２からの着信を制限することにより、迷惑電話やイタズラ電話などに対して着信拒否を行うことができるとともに、簡単に着信拒否の設定が可能である。また、発信時などにおいても、登録された電話番号以外の発信が制限されるから、電話機自体に着信拒否機能を備えていない場合であっても簡単に電話を受けたくない相手の電話番号を電話装置に登録し、その相手から電話が掛かってきても着信拒否することができる。しかも、通話中に着信拒否の登録が可能であるから、登録操作が極めて簡単である。
【図面の簡単な説明】
【００２７】
【図１】本発明の一実施例を示す装置の概略を示す説明図である。
【図２】同上、操作入力装置を接続した場合の装置の概略を示す説明図である。
【図３】同上、通話時における電話番号の登録手順を示す説明図である。
【図４】同上、非通話時における電話番号の登録手順を示す説明図である。
【図５】同上、発着信規制装置の概略を示すブロック図である。
【符号の説明】
【００２８】
１  発着信規制装置
１０  記憶部
１１  制御部
１５  接続部
１６  パーソナルコンピュータ（外部機器）
２０  操作入力装置（外部機器）
２１  テンキー
２３  機能キー
【図１】
2008288717.tif 000003
【図２】
2008288717.tif 000004
【図３】
2008288717.tif 000005
【図４】
2008288717.tif 000006
【図５】
2008288717.tif 000007